(57)【要約】【課題】伝送媒体に依存した伝送方式でデータを送受信する際に、送信側の機器と受信側の機器とが当該データの送受信が可能な伝送媒体で接続されていないことを通知できるようにする。【解決手段】ネットワークを介して接続された機器の中から特定の機能を有する機器を機器検出部２４により検出した後、検出した機器との間がデータの伝送方式に応じた伝送媒体で接続されているか否かを検出し、上記検出の結果、データの伝送方式に応じた伝送媒体で接続されていない場合には、表示部２２に警告メッセージを表示するようにして、機器間が当該データの通信に適した伝送媒体で接続されていないことをユーザに通知できるようにする。【選択図】  図２
2004194243.tif 000002
【特許請求の範囲】
【請求項１】
複数の異なる種類の伝送媒体を介して通信可能なように接続された複数の機器の中から特定の機能を有する機器を検出する機器検出手段と、
上記機器検出手段により検出された機器との間で所定の伝送媒体に依存した伝送方式でデータ通信を行う通信手段と、
上記機器検出手段により検出された機器との間が上記所定の伝送媒体で接続されているか否かを検出する接続状態検出手段とを備え、
上記接続状態検出手段により上記所定の伝送媒体で接続されていないことが検出された場合には、警告表示を行うように指示することを特徴とするデータ通信装置。
【請求項２】
複数の異なる種類の伝送媒体を介して通信可能なように接続された複数の機器の中から特定の機能を有する機器を検出する機器検出手段と、
上記機器検出手段により検出された機器との間で所定の伝送媒体に依存した伝送方式でデータ通信を行う通信手段と、
上記伝送方式で伝送されるデータの検出を行うデータ検出手段とを備え、
上記機器検出手段により検出された機器に対してデータの出力要求を行った後、所定の期間、上記データ検出手段によりデータが検出されない場合には、警告表示を行うように指示することを特徴とするデータ通信装置。
【請求項３】
上記警告表示を表示する表示手段をさらに備えることを特徴とする請求項１または２に記載のデータ通信装置。
【請求項４】
上記複数の機器の中から表示手段を有する機器を検出する表示装置検出手段をさらに備え、
上記表示装置検出手段により検出された機器に、上記警告表示を行うためのデータを送信することを特徴とする請求項１または２に記載のデータ通信装置。
【請求項５】
複数の異なる種類の伝送媒体を介して複数の機器を接続して構成されるネットワークに接続されるデータ通信装置であって、
情報を表示するための表示手段と、
上記複数の機器の中から特定の機能を有する機器を検出する機器検出手段と、
上記検出された特定の機器との間で特定の伝送媒体に依存するデータ通信を行う通信手段と、
上記検出された特定の機器との間の接続が上記特定の伝送媒体で直接接続されているか否かを検出する接続状態検出手段とを備え、
上記接続状態検出機能によって上記特定の機器との間が上記特定の伝送媒体で接続されていないことが検出された場合には、上記表示手段に警告表示を行うことを特徴とするデータ通信装置。
【請求項６】
複数の異なる種類の伝送媒体を介して複数の機器を接続して構成されるネットワークに接続されるデータ通信装置であって、
上記複数の機器の中から情報を表示するための表示手段を有する機器を検出する表示装置検出手段と、
上記複数の機器の中から特定の機能を有する機器を検出する機器検出手段と、
上記検出された特定の機器との間で特定の伝送媒体に依存するデータ通信を行う通信手段と、
上記検出された特定の機器との間の接続が上記特定の伝送媒体で直接接続されているか否かを検出する接続状態検出手段とを備え、
上記接続状態検出機能によって上記特定の機器との間が上記特定の伝送媒体で接続されていないことが検出された場合には、上記表示装置検出手段によって検出された機器に対して、表示手段に警告表示を行うためのデータを送信することを特徴とするデータ通信装置。
【請求項７】
上記検出された特定の機器に対してデータの出力要求を行う場合に、上記警告表示を行うことを特徴とする請求項５または６に記載のデータ通信装置。
【請求項８】
複数の異なる種類の伝送媒体を介して複数の機器を接続して構成されるネットワークに接続されるデータ通信装置であって、
情報を表示するための表示手段と、
上記複数の機器の中から特定の機能を有する機器を検出する機器検出手段と、
上記検出された特定の機器との間で特定の伝送媒体に依存するデータ通信を行う通信手段とを備え、
上記検出された特定の機器に対してデータの出力要求を行った後に、上記特定の伝送媒体からデータの受信を行えなかった場合には、上記表示手段に警告表示を行うことを特徴とするデータ通信装置。
【請求項９】
複数の異なる種類の伝送媒体を介して複数の機器を接続して構成されるネットワークに接続されるデータ通信装置であって、
上記複数の機器の中から情報を表示するための表示手段を有する機器を検出する表示装置検出手段と、
上記複数の機器の中から特定の機能を有する機器を検出する機器検出手段と、上記検出された特定の機器との間で特定の伝送媒体に依存するデータ通信を行う通信手段とを備え、
上記検出された特定の機器に対してデータの出力要求を行った後に、上記特定の伝送媒体からデータの受信を行えなかった場合には、上記表示装置検出手段によって検出された機器に対して、表示手段に警告表示を行うためのデータを送信することを特徴とするデータ通信装置。
【請求項１０】
所定の伝送媒体に依存した伝送方式でデータ通信が可能なデータ通信装置のデータ通信方法であって、
複数の異なる種類の伝送媒体を介して通信可能なように接続された複数の機器の中から特定の機能を有する機器を検出し、
上記検出された機器との間が上記所定の伝送媒体で接続されているか否かを検出し、
上記所定の伝送媒体で接続されていないことが検出された場合には、表示手段に警告表示を行うように指示することを特徴とするデータ通信方法。
【請求項１１】
所定の伝送媒体に依存した伝送方式でデータ通信が可能なデータ通信装置のデータ通信方法であって、
複数の異なる種類の伝送媒体を介して通信可能なように接続された複数の機器の中から特定の機能を有する機器を検出し、
上記検出された機器に対してデータの出力要求を行った後、上記所定の伝送媒体に依存した伝送方式で伝送されるデータの検出を行い、
上記所定の伝送媒体に依存した伝送方式で伝送されるデータが、所定の期間、検出されない場合には、表示手段に警告表示を行うように指示することを特徴とするデータ通信方法。
【請求項１２】
複数の異なる種類の伝送媒体を介して通信可能なように接続された複数の機器の中から特定の機能を有する機器を検出する機器検出ステップと、
上記機器検出ステップにて検出された機器との間がデータの伝送方式に応じた所定の伝送媒体で接続されているか否かを検出する接続状態検出ステップと、
上記接続状態検出ステップにて上記所定の伝送媒体で接続されていないことが検出された場合には、表示手段に警告表示を行うように指示する指示ステップとをコンピュータに実行させるためのプログラム。
【請求項１３】
複数の異なる種類の伝送媒体を介して通信可能なように接続された複数の機器の中から特定の機能を有する機器を検出する機器検出ステップと、
上記機器検出ステップにて検出された機器に対して所定の伝送媒体に依存した伝送方式でのデータの出力要求を行った後、当該伝送方式で伝送されるデータの検出を行うデータ検出ステップと、
上記データ検出ステップにて、所定の期間、データが検出されない場合には、表示手段に警告表示を行うように指示する指示ステップとをコンピュータに実行させるためのプログラム。
【請求項１４】
複数の異なる種類の伝送媒体を介して通信可能なように接続された複数の機器の中から特定の機能を有する機器を検出する機器検出ステップと、
上記機器検出ステップにて検出された機器との間がデータの伝送方式に応じた所定の伝送媒体で接続されているか否かを検出する接続状態検出ステップと、
上記接続状態検出ステップにて上記所定の伝送媒体で接続されていないことが検出された場合には、表示手段に警告表示を行うように指示する指示ステップとをコンピュータに実行させるためのプログラムを記録したことを特徴とするコンピュータ読み取り可能な記録媒体。
【請求項１５】
複数の異なる種類の伝送媒体を介して通信可能なように接続された複数の機器の中から特定の機能を有する機器を検出する機器検出ステップと、
上記機器検出ステップにて検出された機器に対して所定の伝送媒体に依存した伝送方式でのデータの出力要求を行った後、当該伝送方式で伝送されるデータの検出を行うデータ検出ステップと、
上記データ検出ステップにて、所定の期間、データが検出されない場合には、表示手段に警告表示を行うように指示する指示ステップとをコンピュータに実行させるためのプログラムを記録したことを特徴とするコンピュータ読み取り可能な記録媒体。
【発明の詳細な説明】
【０００１】
【発明の属する技術分野】
本発明は、データ通信装置、データ通信方法、記録媒体およびプログラムに関し、特に、デジタルインタフェースを介してネットワークに接続可能なデータ通信装置に用いて好適なものである。
【０００２】
【従来の技術】
現在、外部機器等との間で通信を行うためのデジタルインタフェースを有するデジタル機器が多く存在している。このようなデジタル機器は、デジタルインタフェースを介して互いに接続され、ネットワークシステムを構築することができる。しかし、従来は、１種類のみのデジタルインタフェースを用いて１つのネットワークシステムが構築され、異なる種類のデジタルインタフェースを用いて１つのネットワークシステムを構築することは困難であった。
【０００３】
この問題を解決する１つの方法として、現在ＵＰｎＰ（Universal Plug and Play）が提唱されている（参考文献１：Universal Plug and Play Device Architecture, Version 1.0, 08 Jun 2000）。ＵＰｎＰは、ＩＰ（Internet Protocol）を使用して異なるインタフェース間での通信を行う。これにより、ＵＰｎＰは、インタフェースに応じた伝送媒体には依存せずに、異なる種類のインタフェースを用いて１つのネットワークシステムを構築することができる。
【０００４】
【非特許文献１】
Universal Plug and Play Device Architecture, Version 1.0, 08 Jun 2000
【非特許文献２】
IEEE Std 1394-1995, IEEE Standard for a High Performance Serial Bus, Institute of Electrical and Electronics Engineers, Inc.
【非特許文献３】
IEC 61883-1, Consumer audio/video equipment - Digital interface - Part1: General
【０００５】
【発明が解決しようとする課題】
ＵＰｎＰに準拠したネットワークシステム（以下、ＵＰｎＰネットワークシステム）の一例を図９に示す。図９において、コントロールポイントであるＤＴＶ１０３は、デバイスであるＤＶＣＲ１０４の検出および制御を行うことができる。しかしながら、上記ＤＴＶ１０３とＤＶＣＲ１０４とは、ＩＥＥＥ１３９４規格（参考文献２：IEEE Std 1394-1995, IEEE Standard for a High PerformanceSerial Bus, Institute of Electrical and Electronics Engineers, Inc.）に準拠したデータ通信が可能な伝送媒体を介して直接接続されておらず、ＤＴＶ１０３は、ＩＥＣ６１８８３プロトコル（参考文献３：IEC 61883-1, Consumer audio/video equipment - Digital interface - Part 1: General）を使用したＤＶＣＲ１０４からの動画像データを受信することができない。そのため、上記図９に示したようなＵＰｎＰネットワークシステムでは、ユーザがＤＴＶ１０３の表示画面上に表示されたパネル１１２を操作しても、再生画像は画面上に表示されない。したがって、ＵＰｎＰネットワークに接続された各機器が正常に動作していたとしても、機器の故障と判断されることがあるという問題があった。
【０００６】
本発明は、このような問題を解決するためになされたものであり、複数の異なる種類の伝送媒体を介して複数の機器が接続されたネットワークシステムにて、伝送媒体に依存した伝送方式でデータを送受信する際に、送信側の機器と受信側の機器とが当該データの送受信が可能な伝送媒体で接続されていないことを通知できるようにすることを目的とする。
【０００７】
【課題を解決するための手段】
本発明のデータ通信装置は、複数の異なる種類の伝送媒体を介して通信可能なように接続された複数の機器の中から特定の機能を有する機器を検出する機器検出手段と、上記機器検出手段により検出された機器との間で所定の伝送媒体に依存した伝送方式でデータ通信を行う通信手段と、上記機器検出手段により検出された機器との間が上記所定の伝送媒体で接続されているか否かを検出する接続状態検出手段とを備え、上記接続状態検出手段により上記所定の伝送媒体で接続されていないことが検出された場合には、警告表示を行うように指示することを特徴とする。
【０００８】
本発明のデータ通信装置の他の特徴とするところは、複数の異なる種類の伝送媒体を介して通信可能なように接続された複数の機器の中から特定の機能を有する機器を検出する機器検出手段と、上記機器検出手段により検出された機器との間で所定の伝送媒体に依存した伝送方式でデータ通信を行う通信手段と、上記伝送方式で伝送されるデータの検出を行うデータ検出手段とを備え、上記機器検出手段により検出された機器に対してデータの出力要求を行った後、所定の期間、上記データ検出手段によりデータが検出されない場合には、警告表示を行うように指示することを特徴とする。
【０００９】
本発明のデータ通信装置のその他の特徴とするところは、複数の異なる種類の伝送媒体を介して複数の機器を接続して構成されるネットワークに接続されるデータ通信装置であって、情報を表示するための表示手段と、上記複数の機器の中から特定の機能を有する機器を検出する機器検出手段と、上記検出された特定の機器との間で特定の伝送媒体に依存するデータ通信を行う通信手段と、上記検出された特定の機器との間の接続が上記特定の伝送媒体で直接接続されているか否かを検出する接続状態検出手段とを備え、上記接続状態検出機能によって上記特定の機器との間が上記特定の伝送媒体で接続されていないことが検出された場合には、上記表示手段に警告表示を行うことを特徴とする。
【００１０】
本発明のデータ通信装置のその他の特徴とするところは、複数の異なる種類の伝送媒体を介して複数の機器を接続して構成されるネットワークに接続されるデータ通信装置であって、上記複数の機器の中から情報を表示するための表示手段を有する機器を検出する表示装置検出手段と、上記複数の機器の中から特定の機能を有する機器を検出する機器検出手段と、上記検出された特定の機器との間で特定の伝送媒体に依存するデータ通信を行う通信手段と、上記検出された特定の機器との間の接続が上記特定の伝送媒体で直接接続されているか否かを検出する接続状態検出手段とを備え、上記接続状態検出機能によって上記特定の機器との間が上記特定の伝送媒体で接続されていないことが検出された場合には、上記表示装置検出手段によって検出された機器に対して、表示手段に警告表示を行うためのデータを送信することを特徴とする。
【００１１】
本発明のデータ通信装置のその他の特徴とするところは、複数の異なる種類の伝送媒体を介して複数の機器を接続して構成されるネットワークに接続されるデータ通信装置であって、情報を表示するための表示手段と、上記複数の機器の中から特定の機能を有する機器を検出する機器検出手段と、上記検出された特定の機器との間で特定の伝送媒体に依存するデータ通信を行う通信手段とを備え、上記検出された特定の機器に対してデータの出力要求を行った後に、上記特定の伝送媒体からデータの受信を行えなかった場合には、上記表示手段に警告表示を行うことを特徴とする。
【００１２】
本発明のデータ通信装置のその他の特徴とするところは、複数の異なる種類の伝送媒体を介して複数の機器を接続して構成されるネットワークに接続されるデータ通信装置であって、上記複数の機器の中から情報を表示するための表示手段を有する機器を検出する表示装置検出手段と、上記複数の機器の中から特定の機能を有する機器を検出する機器検出手段と、上記検出された特定の機器との間で特定の伝送媒体に依存するデータ通信を行う通信手段とを備え、上記検出された特定の機器に対してデータの出力要求を行った後に、上記特定の伝送媒体からデータの受信を行えなかった場合には、上記表示装置検出手段によって検出された機器に対して、表示手段に警告表示を行うためのデータを送信することを特徴とする。
【００１３】
本発明のデータ通信方法は、所定の伝送媒体に依存した伝送方式でデータ通信が可能なデータ通信装置のデータ通信方法であって、複数の異なる種類の伝送媒体を介して通信可能なように接続された複数の機器の中から特定の機能を有する機器を検出し、上記検出された機器との間が上記所定の伝送媒体で接続されているか否かを検出し、上記所定の伝送媒体で接続されていないことが検出された場合には、表示手段に警告表示を行うように指示することを特徴とする。
【００１４】
本発明のデータ通信方法の他の特徴とするところは、所定の伝送媒体に依存した伝送方式でデータ通信が可能なデータ通信装置のデータ通信方法であって、複数の異なる種類の伝送媒体を介して通信可能なように接続された複数の機器の中から特定の機能を有する機器を検出し、上記検出された機器に対してデータの出力要求を行った後、上記所定の伝送媒体に依存した伝送方式で伝送されるデータの検出を行い、上記所定の伝送媒体に依存した伝送方式で伝送されるデータが、所定の期間、検出されない場合には、表示手段に警告表示を行うように指示することを特徴とする。
【００１５】
本発明のプログラムは、複数の異なる種類の伝送媒体を介して通信可能なように接続された複数の機器の中から特定の機能を有する機器を検出する機器検出ステップと、上記機器検出ステップにて検出された機器との間がデータの伝送方式に応じた所定の伝送媒体で接続されているか否かを検出する接続状態検出ステップと、上記接続状態検出ステップにて上記所定の伝送媒体で接続されていないことが検出された場合には、表示手段に警告表示を行うように指示する指示ステップとをコンピュータに実行させることを特徴とする。
【００１６】
本発明のプログラムの他の特徴とするところは、複数の異なる種類の伝送媒体を介して通信可能なように接続された複数の機器の中から特定の機能を有する機器を検出する機器検出ステップと、上記機器検出ステップにて検出された機器に対して所定の伝送媒体に依存した伝送方式でのデータの出力要求を行った後、当該伝送方式で伝送されるデータの検出を行うデータ検出ステップと、上記データ検出ステップにて、所定の期間、データが検出されない場合には、表示手段に警告表示を行うように指示する指示ステップとをコンピュータに実行させることを特徴とする。
【００１７】
本発明のコンピュータ読み取り可能な記録媒体は、複数の異なる種類の伝送媒体を介して通信可能なように接続された複数の機器の中から特定の機能を有する機器を検出する機器検出ステップと、上記機器検出ステップにて検出された機器との間がデータの伝送方式に応じた所定の伝送媒体で接続されているか否かを検出する接続状態検出ステップと、上記接続状態検出ステップにて上記所定の伝送媒体で接続されていないことが検出された場合には、表示手段に警告表示を行うように指示する指示ステップとをコンピュータに実行させるためのプログラムを記録したことを特徴とする。
【００１８】
本発明のコンピュータ読み取り可能な記録媒体の他の特徴とするところは、複数の異なる種類の伝送媒体を介して通信可能なように接続された複数の機器の中から特定の機能を有する機器を検出する機器検出ステップと、上記機器検出ステップにて検出された機器に対して所定の伝送媒体に依存した伝送方式でのデータの出力要求を行った後、当該伝送方式で伝送されるデータの検出を行うデータ検出ステップと、上記データ検出ステップにて、所定の期間、データが検出されない場合には、表示手段に警告表示を行うように指示する指示ステップとをコンピュータに実行させるためのプログラムを記録したことを特徴とする。
【００１９】
【発明の実施の形態】
以下、本発明の実施形態を図面に基づいて説明する。
【００２０】
（第１の実施形態）
図１は、本発明の第１の実施形態によるデータ通信装置を適用したＵＰｎＰネットワークシステムの構成例を示すブロック図である。なお、図１においては、各機器に割り当てられたＩＰアドレスの一例についても示している。
【００２１】
図１に示したＵＰｎＰネットワークシステムは、ＤＴＶ１１（ＩＰアドレス：192.168.1.2）、ＰＣ１２（ＩＰアドレス：192.168.1.1）、ＰＣ１３（ＩＰアドレス：192.168.1.4）、ＤＶＣＲ１４（ＩＰアドレス：192.168.1.5）およびプリンタ１５（ＩＰアドレス：192.168.1.3）により構成される。
【００２２】
ＤＴＶ１１とＰＣ１２とは、ＩＥＥＥ１３９４規格に準拠したデータ通信が可能な伝送媒体（第１のＩＥＥＥ１３９４バス）を介して接続され、ＰＣ１２とＰＣ１３とは、イーサネット(R)（Ethernet(R)）規格に準拠したデータ通信が可能な伝送媒体を介して接続されている。また、ＰＣ１２とプリンタ１５とは、ブルートゥース（Bluetooth）規格に準拠したデータ通信が可能な伝送媒体を介して接続され、ＰＣ１３とＤＶＣＲ１４とは、ＩＥＥＥ１３９４規格に準拠したデータ通信が可能な伝送媒体（第２のＩＥＥＥ１３９４バス）を介して接続されている。
【００２３】
図２は、第１の実施形態によるデータ通信装置の一構成例を示すブロック図である。
図２において、２１は制御部であり、当該データ通信装置の各機能部（表示部２２、デバイス制御部２３、データ通信部２７およびインタフェース２８）を制御する。表示部２２は、制御部２１等からの指示に応じて、後述する警告表示（警告メッセージ）やデバイスのコントロール用のパネル等を表示する。
【００２４】
デバイス制御部２３は、機器検出部２４、接続状態検出部２５および制御データ通信部２６により構成される。機器検出部２４は、ネットワークを介して接続された機器の中から、特定の機能（サービス）を有する機器（デバイス）を検出する。
【００２５】
接続状態検出部２５は、機器検出部２４により検出された機器（デバイス）と当該データ通信装置との間の接続状態を検出する。具体的には、接続状態検出部２５は、機器検出部２４により検出された機器（デバイス）と当該データ通信装置とが、伝送媒体（伝送路の規格）に依存したプロトコルを用いて通信可能なように接続されているか否かを検出する。
【００２６】
制御データ通信部２６は、ネットワークに接続された機器（デバイス）を制御するための制御データをネットワークを介して送信したり、それに対する応答を受信し制御部２１等に供給したりする。なお、上記制御データは、ＵＰｎＰのプロトコルに従って送受信される。
【００２７】
データ通信部２７は、機器検出部２４により検出された機器（デバイス）との間で、伝送媒体に依存したプロトコルに従って、動画像データ等の所定のデータを送受信する。インタフェース２８は、当該データ通信装置をネットワークに接続するためのものである。
【００２８】
次に、動作について説明する。
なお、以下の説明では、上記図１に示したＤＴＶ１１は、ＵＰｎＰネットワークに接続されたＤＶＣＲ１４の制御機能（上記図２に示したデータ通信装置）を有し、ＩＥＥＥ１３９４規格におけるＩＥＣ６１８８３プロトコルを使用して動画像データを受信できるものとする。
【００２９】
まず、ＤＴＶ１１は、ＵＰｎＰのプロトコルに従って、機器検出部２４によりＤＶＣＲ１４を検出し、ＤＶＣＲ１４に割り当てられたＩＰアドレスを取得する。
次に、ＤＴＶ１１は、ＡＲＰ（Address Resolution Protocol）を使用し、ＤＴＶ１１が接続されている第１のＩＥＥＥ１３９４バス上にＤＶＣＲ１４（デバイス）が存在するか否かを接続状態検出部２５により検出する。
【００３０】
ここで、上記ＡＲＰは、ＩＰアドレスから物理アドレスを求めるためのプロトコルであり、ＴＣＰ／ＩＰプロトコルにおいては、ＡＲＰを使用して、ＩＰアドレスを有するノードに物理アドレスを問い合わせることができる。ＩＰ  ｏｖｅｒ  ＩＥＥＥ１３９４（ＩＥＥＥ１３９４規格に準拠したデータ通信が可能な伝送媒体上でＩＰパケットを伝送する方式）においては、ＩＥＥＥ１３９４規格に対応したデバイスが有する固有の識別情報（ＩＤ）であるＥＵＩ６４が物理アドレスに対応する。
【００３１】
図３は、ＩＰ  ｏｖｅｒ  １３９４におけるＡＲＰリクエスト／レスポンスパケットのフォーマットを示す図である。ＤＴＶ１１は、物理アドレスを問い合わせるデバイスのＩＰアドレスをＡＲＰリクエストパケットに設定して、ＩＥＥＥＰ１３９４ａ規格で定められた非同期データストリーム（Asynchronous Stream）によりＤＴＶ１１が接続された第１のＩＥＥＥ１３９４バスにブロードキャスト送信する。
【００３２】
ＤＴＶ１１からブロードキャスト送信されたＡＲＰリクエストパケットは、第１のＩＥＥＥ１３９４バスに接続されているＩＥＥＥ  Ｐ１３９４ａ対応の全てのデバイスが受信する。当該ＡＲＰリクエストパケットに設定されたＩＰアドレスが割り当てられているデバイスが第１のＩＥＥＥ１３９４バスに接続されている場合には、そのデバイスはＡＲＰレスポンスパケットをＤＴＶ１１に対して送信する。
【００３３】
上記図１に示したＵＰｎＰネットワークシステムにて、ＤＴＶ１１がＤＶＣＲ１４の物理アドレスを問い合わせようとする。このとき、ＤＴＶ１１は、ＡＲＰリクエストパケットのsender_IP_addressフィールド３１にＤＴＶ１１のＩＰアドレスである“192.168.1.2”のデータを設定するとともに、target_IP_addressフィールド３２にＤＶＣＲ１４のＩＰアドレスである“192.168.1.5”のデータを設定し送信する。
【００３４】
しかしながら、ＤＴＶ１１が接続されている第１のＩＥＥＥ１３９４バスには、ＩＰアドレスが“192.168.1.5”であるデバイスは接続されていないので、デバイスからの応答はなく、ＡＲＰレスポンスパケットは発行されない。ＤＴＶ１１は、ＡＲＰリクエストパケットの送信後、所定の時間が経過してもＡＲＰレスポンスパケットが受信されないので、ＤＶＣＲ１４が第１のＩＥＥＥ１３９４バスに直接接続されておらず、他のバスを介してＵＰｎＰネットワークに接続されていると判定することができる。
【００３５】
上記判定により、ＤＴＶ１１とＤＶＣＲ１４とは異なるＩＥＥＥ１３９４バスに接続されているので、ＤＴＶ１１は、ＵＰｎＰのプロトコルに従ってＤＶＣＲ１４を制御することはできるが、ＩＥＥＥ１３９４規格におけるＩＥＣ６１８８３プロトコルを使用してＤＶＣＲ１４からの動画像データを受信できないことが判明する。そこで、ＤＴＶ１１は、自らの表示画面上に図４に示すような警告メッセージ４１を表示し、画像に係る動画像データの受信が不可能であることをユーザに通知する。
【００３６】
なお、ＤＶＣＲ１４が第１のＩＥＥＥ１３９４バスに接続されていないことが検出されたときではなく、ユーザがＤＴＶ１１の表示画面上に表示されたＤＶＣＲ１４のコントロール用のパネル４２を操作し、動画像データの再生要求等を行ったときに、警告メッセージ４１を表示するようにしても良い。
【００３７】
以上、詳しく説明したように第１の実施形態によれば、第１のＩＥＥＥ１３９４バスに接続され、データ通信装置を有するＤＴＶ１１は、ＵＰｎＰネットワークに接続され、ＩＥＥＥ１３９４規格に準拠したデータ通信が可能なＤＶＣＲ１４を機器検出部２４により検出した後、接続状態検出部２５により、ＤＶＣＲ１４が第１のＩＥＥＥ１３９４バス上に存在するか否かを検出する。上記検出の結果、ＤＶＣＲ１４が第１のＩＥＥＥ１３９４バスとは異なるバスに接続されている場合には、ＤＴＶ１１は、警告メッセージを自らの表示画面上に表示する。
これにより、ＤＴＶ１１はＤＶＣＲ１４からの動画像データの受信が不可能である、すなわちＤＴＶ１１とＤＶＣＲ１４とが動画像データの送受信に適した伝送媒体で接続されていないことをユーザに通知することができ、ＤＴＶ１１とＤＶＣＲ１４との接続の変更をユーザに促すことができる。
【００３８】
（第２の実施形態）
次に、第２の実施形態について説明する。
図５は、本発明の第２の実施形態によるデータ通信装置の一構成例を示すブロック図である。なお、この図５において、上記図２に示したブロックと同一の機能を有するブロックには同一の符号を付し、重複する説明は省略する。また、図２に示したブロックと同一ではないが対応する機能を有するブロックには、同じ符号に'を付している。
【００３９】
図５において、デバイス制御部２３’は、機器検出部２４および制御データ通信部２６により構成される。また、５１はデータ監視部であり、機器検出部２４により検出された機器（デバイス）と当該データ通信装置との間で、伝送媒体に依存したプロトコルに従って、送受信されるデータを監視する。
【００４０】
次に、動作について説明する。
なお、以下の説明では、第２の実施形態によるデータ通信装置を適用したＵＰｎＰネットワークシステムは、上記図１に示したＵＰｎＰネットワークシステムと同様であるとする。また、ＤＴＶ１１は、ＤＶＣＲ１４の制御機能（上記図５に示したデータ通信装置）を有し、ＩＥＥＥ１３９４規格におけるＩＥＣ６１８８３プロトコルを使用して動画像データを受信できるものとする。
【００４１】
ＤＴＶ１１は、ＵＰｎＰのプロトコルに従って、機器検出部２４によりＤＶＣＲ１４を検出し、ＤＶＣＲ１４の提供する機能（サービス）および割り当てられたＩＰアドレスを取得する。さらに、ＤＴＶ１１は、図６に示すようにＤＶＣＲ１４に対応したコントロール用のパネル６２等を表示画面上に表示する。
ユーザがＤＴＶ１１の表示画面上に表示されたパネル６２を操作して動画像データの再生要求等を行うと、ＤＴＶ１１は、ＵＰｎＰのプロトコルに従って、上記検出したＤＶＣＲ１４に対して再生要求を行う。
【００４２】
ＤＶＣＲ１４に対する再生要求を送信したＤＴＶ１１は、第１のＩＥＥＥ１３９４バスにて伝送されるアイソクロナスデータ（アイソクロナス転送により伝送されるデータ）を監視する。そして、上記再生要求の送信後、あらかじめ定めた時間が経過しても第１のＩＥＥＥ１３９４バスにて動画像データが受信されない場合には、ＤＴＶ１１は、自らの表示画面上に警告メッセージ６１を表示し、画像に係る動画像データが受信されないことをユーザに通知する。
【００４３】
以上、説明したように第２の実施形態によれば、データ通信装置を有するＤＴＶ１１は、機器検出部２４により検出したＤＶＣＲ１４に対して再生要求（データの出力要求）を行った後、第１のＩＥＥＥ１３９４バスにて伝送される動画像データをデータ監視部５１により監視する。そして、所定の期間が経過しても、第１のＩＥＥＥ１３９４バスにて動画像データが受信されない場合には、ＤＴＶ１１は、警告メッセージを自らの表示画面上に表示する。
これにより、ＤＴＶ１１は、ＤＴＶ１１とＤＶＣＲ１４とが動画像データの送受信に適した伝送媒体で接続されていないため、ＤＶＣＲ１４からの動画像データが受信されないことユーザに通知することができ、ＤＴＶ１１とＤＶＣＲ１４との接続の変更をユーザに促すことができる。
【００４４】
（第３の実施形態）
次に、第３の実施形態について説明する。
図７は、本発明の第３の実施形態によるデータ通信装置を適用したＵＰｎＰネットワークシステムの構成例を示すブロック図である。なお、図７においては、各機器に割り当てられたＩＰアドレスの一例についても示している。
【００４５】
図７に示したＵＰｎＰネットワークシステムは、ＡＶ  ＨＤＤ７１（ＩＰアドレス：192.168.1.2）、ＤＴＶ７２（ＩＰアドレス：192.168.1.1）、ＰＣ７３（ＩＰアドレス：192.168.1.4）、ＤＶＣＲ７４（ＩＰアドレス：192.168.1.5）およびプリンタ７５（ＩＰアドレス：192.168.1.3）により構成される。
【００４６】
ＡＶ  ＨＤＤ７１とＤＴＶ７２とは、ＩＥＥＥ１３９４規格に準拠したデータ通信が可能な伝送媒体（第１のＩＥＥＥ１３９４バス）を介して接続され、ＤＴＶ７２とＰＣ７３とは、イーサネット(R)（Ethernet(R)）規格に準拠したデータ通信が可能な伝送媒体を介して接続されている。また、ＤＴＶ７２とプリンタ７５とは、ブルートゥース（Bluetooth）規格に準拠したデータ通信が可能な伝送媒体を介して接続され、ＰＣ７３とＤＶＣＲ７４とは、ＩＥＥＥ１３９４規格に準拠したデータ通信が可能な伝送媒体（第２のＩＥＥＥ１３９４バス）を介して接続されている。
【００４７】
図８は、第３の実施形態によるデータ通信装置の一構成例を示すブロック図である。なお、この図８において、上記図２に示したブロックと同一の機能を有するブロックには同一の符号を付し、重複する説明は省略する。
図８において、８１は表示装置検出部であり、ネットワークに接続された機器の中から、情報を表示するための表示装置を有する機器を検出する。
【００４８】
次に、動作について説明する。
なお、以下の説明では、上記図７に示したＡＶ  ＨＤＤ７１は、ＵＰｎＰネットワークに接続されたＤＶＣＲ７４の制御機能（上記図８に示したデータ通信装置）を有し、ＩＥＥＥ１３９４規格におけるＩＥＣ６１８８３プロトコルを使用して動画像データを送受信できるものとする。また、ＡＶ  ＨＤＤ７１は、操作用のボタン等を有し、所定のボタン等の操作に応じてＤＶＣＲ７４に対して再生要求を行うことで、ＩＥＣ６１８８３プロトコルを使用して伝送された動画像データを受信し、内部の記憶媒体（ハードディスク等）に記録することができるものとする。
【００４９】
まず、ＡＶ  ＨＤＤ７１は、上述した第１の実施形態におけるＤＴＶ１１と同様にして、機器検出部２４によりＤＶＣＲ７４を検出してＤＶＣＲ７４のＩＰアドレスを取得する。さらに、ＡＶ  ＨＤＤ７１は、上述した第１の実施形態と同様にして、ＡＲＰを使用し、ＡＶ  ＨＤＤ７１が接続されている第１のＩＥＥＥ１３９４バスにＤＶＣＲ７４が直接接続されていないことを接続状態検出部２５により検出する。
【００５０】
これにより、ＡＶ  ＨＤＤ７１は、ＵＰｎＰのプロトコルに従ってＤＶＣＲ７４を制御することはできるが、接続状態検出部２５での検出結果によりＩＥＣ６１８８３プロトコルを使用してＤＶＣＲ７４からの動画像データを受信できないことがわかる。
【００５１】
また、ＡＶ  ＨＤＤ７１は、ＵＰｎＰのプロトコルに従って、表示装置検出部８１により表示装置を有するＤＴＶ７２を検出する。
そして、ＡＶ  ＨＤＤ７１は、ＤＶＣＲ７４からの動画像データを受信できないことを示す上記図４に示したような警告メッセージ４１を、表示装置検出部８１により検出したＤＴＶ７２に表示させるための警告表示データを送信する。
【００５２】
このとき、ＡＶ  ＨＤＤ７１は、例えば、警告メッセージ４１を含む警告表示画像の画像データ（警告表示データ）を、ＤＴＶ７２で用いられるデータ圧縮フォーマットでエンコードする。さらに、ＡＶ  ＨＤＤ７１は、ＩＥＣ６１８８３プロトコルを使用してＩＥＥＥ１３９４バスにて伝送可能なアイソクロナスデータとしてエンコードした警告表示データを送信する。
ＤＴＶ７２は、受信した警告表示データに係る警告メッセージを表示画面上（表示装置）に表示し、動画像データを受信できないことをユーザに通知する。
【００５３】
以上、説明したように第３の実施形態によれば、上述した第１の実施形態により得られる効果に加え、データ通信装置に表示装置検出部８１を設け、ネットワークに接続された機器の中から表示装置を有する機器を検出するようにしたので、表示部を有しない機器であっても、ネットワークを介して接続された他の機器が有する表示装置を用いて、警告メッセージを表示することができる。
【００５４】
（第４の実施形態）
次に、第４の実施形態について説明する。
本発明の第４の実施形態によるデータ通信装置は、上記図５に示した第２の実施形態によるデータ通信装置にて表示部２２を設けずに、上記図８に示した第３の実施形態によるデータ通信装置と同様に表示装置検出部８１を設けて、ネットワークに接続された機器の中から表示装置を有する機器を検出するようにしたものである。
【００５５】
上記図７に示したＵＰｎＰネットワークシステムに第４の実施形態によるデータ通信装置を適用した場合の動作について説明する。
なお、以下の説明では、上述した第３の実施形態と同様に、ＡＶ  ＨＤＤ７１は、ＤＶＣＲ７４の制御機能を有し、ＩＥＥＥ１３９４規格におけるＩＥＣ６１８８３プロトコルを使用して動画像データを送受信できるものとする。また、ＡＶ  ＨＤＤ７１は、操作用のボタン等が操作されるとＤＶＣＲ７４に対して再生要求を行い、ＩＥＣ６１８８３プロトコルを使用して伝送された動画像データを受信し、内部の記憶媒体に記録することができるものとする。
【００５６】
ＡＶ  ＨＤＤ７１は、ＵＰｎＰのプロトコルに従って、機器検出部２４によりＤＶＣＲ７４を検出するとともに、表示装置検出部８１により表示装置を有するＤＴＶ７２を検出する。ＡＶ  ＨＤＤ７１は、ＤＴＶ７２およびＤＶＣＲ７４の提供する機能（サービス）と割り当てられたＩＰアドレスとをそれぞれ取得する。
【００５７】
ＡＶ  ＨＤＤ７１が有する操作ボタン等がユーザにより操作され、データ記録の要求が行われると、ＡＶ  ＨＤＤ７１は、ＵＰｎＰのプロトコルに従って、ＤＶＣＲ７４に対して再生要求を行う。
【００５８】
ＤＶＣＲ７４に対する再生要求を送信したＡＶ  ＨＤＤ７１は、第１のＩＥＥＥ１３９４バスにて伝送されるアイソクロナスデータを監視する。上記再生要求の送信後、あらかじめ定めた時間が経過しても第１のＩＥＥＥ１３９４バスにて動画像データが受信されない場合には、ＡＶ  ＨＤＤ７１は、上記図６に示したような警告メッセージ６１を、上記検出したＤＴＶ７２に表示させるための警告表示データを送信する。
【００５９】
このとき、ＡＶ  ＨＤＤ７１は、例えば、警告メッセージ６１を含む警告表示画像の画像データ（警告表示データ）を、ＤＴＶ７２で用いられるデータ圧縮フォーマットでエンコードする。さらに、ＡＶ  ＨＤＤ７１は、ＩＥＣ６１８８３プロトコルを使用してＩＥＥＥ１３９４バスにてアイソクロナスデータとしてエンコードした警告表示データを送信する。
ＤＴＶ７２は、受信した警告表示データに係る警告メッセージを表示画面上（表示装置）に表示し、動画像データが受信されないことをユーザに通知する。
【００６０】
以上、説明したように第４の実施形態によれば、上述した第２の実施形態により得られる効果に加え、データ通信装置に表示装置検出部を設け、ネットワークに接続された機器の中から表示装置を有する機器を検出するようにしたので、表示部を有しない機器であっても、ネットワークを介して接続された他の機器が有する表示装置を用いて、警告メッセージを表示することができる。
【００６１】
（本発明の他の実施形態）
上述した実施形態の機能を実現するべく各種のデバイスを動作させるように、該各種デバイスと接続された装置あるいはシステム内のコンピュータに対し、上記実施形態の機能を実現するためのソフトウェアのプログラムコードを供給し、そのシステムあるいは装置のコンピュータ（ＣＰＵあるいはＭＰＵ）に格納されたプログラムに従って上記各種デバイスを動作させることによって実施したものも、本発明の範疇に含まれる。
【００６２】
また、この場合、上記ソフトウェアのプログラムコード自体が上述した実施形態の機能を実現することになり、そのプログラムコード自体、およびそのプログラムコードをコンピュータに供給するための手段、例えばかかるプログラムコードを格納した記録媒体は本発明を構成する。かかるプログラムコードを記録する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００６３】
また、コンピュータが供給されたプログラムコードを実行することにより、上述の実施形態の機能が実現されるだけでなく、そのプログラムコードがコンピュータにおいて稼働しているＯＳ（オペレーティングシステム）あるいは他のアプリケーションソフト等と共同して上述の実施形態の機能が実現される場合にもかかるプログラムコードは本発明の実施形態に含まれることは言うまでもない。
【００６４】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって上述した実施形態の機能が実現される場合にも本発明に含まれることは言うまでもない。
【００６５】
【発明の効果】
以上説明したように、本発明によれば、複数の異なる種類の伝送媒体を介して接続された複数の機器の中から特定の機能を有する機器を検出し、当該機器との間がデータの伝送方式に応じた所定の伝送媒体で接続されているか否かを検出し、その結果、上記所定の伝送媒体で接続されていない場合には、警告表示を行うようにする。
これにより、機器間がデータの伝送方式に適した所定の伝送媒体で接続されていないことをユーザに通知することができ、機器間の接続の変更をユーザに促すことができる。
【図面の簡単な説明】
【図１】第１の実施形態によるデータ通信装置を適用したＵＰｎＰネットワークシステムの構成例を示すブロック図である。
【図２】第１の実施形態によるデータ通信装置の一構成例を示すブロック図である。
【図３】ＩＰ  ｏｖｅｒ  １３９４におけるＡＲＰリクエスト／レスポンスパケットのフォーマットを示す図である。
【図４】第１の実施形態における警告表示画面の一例を示す図である。
【図５】第２の実施形態によるデータ通信装置の一構成例を示すブロック図である。
【図６】第２の実施形態における警告表示画面の一例を示す図である。
【図７】第３の実施形態によるデータ通信装置を適用したＵＰｎＰネットワークシステムの構成例を示すブロック図である。
【図８】第３の実施形態によるデータ通信装置の一構成例を示すブロック図である。
【図９】ＵＰｎＰネットワークシステムの構成例を示すブロック図である。
【符号の説明】
１１  デジタルテレビ（ＤＴＶ）
１２、１３  パーソナルコンピュータ（ＰＣ）
１４  デジタルビデオカメラレコーダ（ＤＶＣＲ）
１５  プリンタ
２１  制御部
２２  表示部
２３  デバイス制御部
２４  機器検出部
２５  接続状態検出部
２６  制御データ通信部
２７  データ通信部
２８  インタフェース
【図１】
2004194243.tif 000003
【図２】
2004194243.tif 000004
【図３】
2004194243.tif 000005
【図４】
2004194243.tif 000006
【図５】
2004194243.tif 000007
【図６】
2004194243.tif 000008
【図７】
2004194243.tif 000009
【図８】
2004194243.tif 000010
【図９】
2004194243.tif 000011